【手続補正書】
【提出日】平成21年10月19日(2009.10.19)
【手続補正１】
【補正対象書類名】特許請求の範囲
【補正対象項目名】全文
【補正方法】変更
【補正の内容】
【特許請求の範囲】
【請求項１】
加熱加湿対象室内の空気を加熱するための加熱手段と、前記加熱加湿対象室内の空気を加湿するための加湿手段を備えたサウナ装置において、発汗を抑えて毛孔を広げるようにしたことを特徴とするサウナ装置。
【請求項２】
前記加熱加湿対象室内の空気の温度を３１℃から３９℃に制御する事を特徴とする請求項１に記載のサウナ装置。
【請求項３】
前記加熱加湿対象室内の空気を加熱するための加熱手段と前記加熱加湿対象室内の空気を加湿するための加湿手段を備えたサウナ装置において、前記加熱手段と前記加湿手段を加熱加湿される空気の相対湿度がより高くなるように送風路上に配置することを特徴とする請求項１または２に記載のサウナ装置。
【請求項４】
前記加熱加湿対象室内の空気を加熱するための加熱手段と前記加熱加湿対象室内の空気を加湿するための加湿手段を備えたサウナ装置において、送風路の上流側に加熱手段を配置し、加熱手段の下流側に加湿手段を配置したことを特徴とする請求項１から３のいずれかに記載のサウナ装置。
【請求項５】
絶対湿度０．０１１ｋｇ／ｋｇ´以上の空気を前記加熱加湿対象室内に送ることを特徴とする請求項４に記載のサウナ装置。
【請求項６】
前記サウナ装置にうるおいモードを備え、前記加熱加湿対象室内の空気の温度を前記うるおいモードで制御することを特徴とする請求項１から５のいずれかに記載のサウナ装置。
【請求項７】
前記うるおいモードの基準温度が３５℃前後であることを特徴とする請求項１から６のいずれかに記載のサウナ装置。
【請求項８】
加熱手段が温水又は冷媒を流す熱交換器であることを特徴とする請求項１から７のいずれかに記載のサウナ装置。
【請求項９】
加湿手段が加熱手段より加熱された空気に加湿水を噴霧手段により噴霧することで加湿することを特徴とする請求項１から８のいずれかに記載の浴室サウナ装置。
【請求項１０】
噴霧手段から噴霧する加湿水を温水とすることを特徴とする請求項１から９のいずれかに記載のサウナ装置。
【請求項１１】
加湿手段が加熱手段より加熱された空気に超音波発振子により霧化した加湿水を供給することで加湿することを特徴とする請求項１から８のいずれかに記載のサウナ装置。
【請求項１２】
加湿手段が加熱手段より加熱された空気に加熱により気化した加湿水を供給することで加湿することを特徴とする請求項１から８のいずれかに記載のサウナ装置。
【請求項１３】
発汗センサーで温度をコントロールすることを特徴とする請求項１から１２のいずれかに記載のサウナ装置。
【手続補正２】
【補正対象書類名】明細書
【補正対象項目名】発明の名称
【補正方法】変更
【補正の内容】
【発明の名称】サウナ装置
【手続補正３】
【補正対象書類名】明細書
【補正対象項目名】０００２
【補正方法】変更
【補正の内容】
【０００２】
従来、この種のサウナ装置は、浴室で使用され浴室内に設けた吹出口と吸込口を送風路で連通連結し、送風路内に加湿手段を臨ませ温水を噴出されることで浴室内に加温加湿空気を供給する方法が知られている（例えば、特許文献１参照）。
【手続補正４】
【補正対象書類名】明細書
【補正対象項目名】０００８
【補正方法】変更
【補正の内容】
【０００８】
本発明は、前記従来の課題を解決するもので、加熱加湿対象室内の空気が浴室サウナ装置の加熱手段と加湿手段により加熱加湿され、その加熱加湿された相対湿度の高い温かい空気により毛孔が広がり、その結果、サウナ空間の相対湿度の高い温かい空気から水分をより多く皮膚に吸収し水分が肌に浸透し、また、発汗により皮脂膜等の保湿成分が流れ出ることによる皮膚の保湿機構を妨げないように、発汗を抑えて毛孔を広げる温湿度を保つこと目的としている。
【手続補正５】
【補正対象書類名】明細書
【補正対象項目名】００１０
【補正方法】変更
【補正の内容】
【００１０】
上記目的を達成するために本発明が講じた第１の解決手段は、加熱加湿対象室内の空気を加熱するための加熱手段と前記加熱加湿対象室内の空気を加湿するための加湿手段を備えたサウナ装置において、発汗を抑えて毛孔を広げるようにしたものである。
【手続補正６】
【補正対象書類名】明細書
【補正対象項目名】００１４
【補正方法】変更
【補正の内容】
【００１４】
また、本発明が講じた第３の解決手段は、加熱加湿対象室内の空気を加熱するための加熱手段と加熱加湿対象室内の空気を加湿するための加湿手段を備えたサウナ装置において、前記加熱手段と前記加湿手段を加熱加湿される空気の相対湿度がより高くなるように送風路上に配置するものである。
【手続補正７】
【補正対象書類名】明細書
【補正対象項目名】００１６
【補正方法】変更
【補正の内容】
【００１６】
また、本発明が講じた第４の解決手段は、加熱加湿対象室内の空気を加熱するための加熱手段と加熱加湿対象室内の空気を加湿するための加湿手段を備えたサウナ装置において、送風路の上流側に加熱手段を配置し、加熱手段の下流側に加湿手段を配置したことである。
【手続補正８】
【補正対象書類名】明細書
【補正対象項目名】００１８
【補正方法】変更
【補正の内容】
【００１８】
また、本発明が講じた第５の解決手段は、加熱加湿対象室内の空気を加熱するための加熱手段と加熱加湿対象室内の空気を加湿するための加湿手段を備えたサウナ装置において、絶対湿度０．０１１ｋｇ／ｋｇ´以上の空気を加熱加湿対象室内に送ることである。
【手続補正９】
【補正対象書類名】明細書
【補正対象項目名】００２０
【補正方法】変更
【補正の内容】
【００２０】
また、本発明が講じた第６の解決手段は、サウナ装置にうるおいモードを備え、加熱加湿対象室内の空気の温度をうるおいモードでコントロールすることである。
【手続補正１０】
【補正対象書類名】明細書
【補正対象項目名】００２４
【補正方法】削除
【補正の内容】
【手続補正１１】
【補正対象書類名】明細書
【補正対象項目名】００２５
【補正方法】削除
【補正の内容】
【手続補正１２】
【補正対象書類名】明細書
【補正対象項目名】００２６
【補正方法】削除
【補正の内容】
【手続補正１３】
【補正対象書類名】明細書
【補正対象項目名】００２７
【補正方法】削除
【補正の内容】
【手続補正１４】
【補正対象書類名】明細書
【補正対象項目名】００２８
【補正方法】削除
【補正の内容】
【手続補正１５】
【補正対象書類名】明細書
【補正対象項目名】００２９
【補正方法】削除
【補正の内容】
【手続補正１６】
【補正対象書類名】明細書
【補正対象項目名】００３０
【補正方法】変更
【補正の内容】
【００３０】
また、本発明が講じた第８の解決手段は、加熱手段を温水又は冷媒を流す熱交換器で構成したものである。
【手続補正１７】
【補正対象書類名】明細書
【補正対象項目名】００３２
【補正方法】変更
【補正の内容】
【００３２】
また、本発明が講じた第９の解決手段は、加湿手段を加熱手段により加熱された空気に加湿水を噴霧手段により噴霧することで加湿するように構成したものである。
【手続補正１８】
【補正対象書類名】明細書
【補正対象項目名】００３４
【補正方法】変更
【補正の内容】
【００３４】
また、本発明が講じた第１０の解決手段は、加湿手段を加熱手段により加熱された空気に加湿水を噴霧手段により噴霧することで加湿するように構成したものである。
【手続補正１９】
【補正対象書類名】明細書
【補正対象項目名】００３６
【補正方法】変更
【補正の内容】
【００３６】
また、本発明が講じた第１１の解決手段は、加湿手段を加熱手段により加熱された空気に超音波素子により霧化した加湿水を供給することで加湿するように構成したものである。
【手続補正２０】
【補正対象書類名】明細書
【補正対象項目名】００３８
【補正方法】変更
【補正の内容】
【００３８】
また、本発明が講じた第１２の解決手段は、加湿手段を加熱手段により加熱された空気に加熱により気化した加湿水を供給することで加湿するように構成したものである。
【手続補正２１】
【補正対象書類名】明細書
【補正対象項目名】００４０
【補正方法】変更
【補正の内容】
【００４０】
また本発明が講じた第１３の解決手段は、発汗センサーで温度をコントロールできるものである。
【手続補正２２】
【補正対象書類名】明細書
【補正対象項目名】００４３
【補正方法】変更
【補正の内容】
【００４３】
本発明の請求項１記載の発明は、加熱加湿対象室内の空気を加熱するための加熱手段と加熱加湿対象室内の空気を加湿するための加湿手段を備えたサウナ装置において、発汗を抑えて毛孔を広げるようにしたものであり、毛孔を広げて空気中から皮膚により多くの水分を吸収し水分が皮膚に浸透し、皮膚、肌にうるおい効果をだし、発汗を抑えて発汗により汗とともに保湿成分が流れ出たり、あるいは発汗による汗をタオルで拭かれることにより保湿成分が拭き取られるなど、皮膚の保湿機構を妨げないようにするものである。この発汗を抑えた状態とは、発汗して汗が流れ出ないようにする状況であり、すなわち汗が汗の出口である汗孔にたまり汗がにじむ程度であり、後に自然に蒸発するので汗をふき取る事がないので保湿機構を妨げる事がない。
【手続補正２３】
【補正対象書類名】明細書
【補正対象項目名】００４９
【補正方法】変更
【補正の内容】
【００４９】
本発明の請求項３記載の発明は、加熱加湿対象室内の空気を加熱するための加熱手段と加熱加湿対象室内の空気を加湿するための加湿手段を備えたサウナ装置において、前記加熱手段と前記加湿手段の配置をサウナ装置により加熱加湿される空気の相対湿度がより高くなるように送風路上に配置するものであり、空気の相対湿度を高め加熱加湿対象室内を十分に加湿することにより、人体の皮膚表面での浸透圧の差が大きくなり、より肌に水分が浸透しやすい状態となるため、肌により多くの水分を与えることができる。
【手続補正２４】
【補正対象書類名】明細書
【補正対象項目名】００５０
【補正方法】変更
【補正の内容】
【００５０】
本発明の請求項４記載の発明は、加熱加湿対象室内の空気を加熱するための加熱手段と加熱加湿対象室内の空気を加湿するための加湿手段を備えたサウナ装置において、送風路の上流側に加熱手段を配置し、加熱手段の下流側に加湿手段を配置したことであり、上流側に加熱手段を配置することで、加湿部に流入する空気の温度を上昇させることができ、その結果、効率的に加湿でき、加湿部出口での絶対湿度はより高くすることができるものである。
【手続補正２５】
【補正対象書類名】明細書
【補正対象項目名】００５１
【補正方法】変更
【補正の内容】
【００５１】
本発明の請求項５記載の発明は、加熱加湿対象室内の空気を加熱するための加熱手段と加熱加湿対象室内の空気を加湿するための加湿手段を備えたサウナ装置において、送風路の上流側に加熱手段を配置し、加熱手段の下流側に加湿手段を配置し絶対湿度０．０１１ｋｇ／ｋｇ´以上の空気を加熱加湿対象室内に送ることであり、これにより加熱加湿対象室内の壁面に発生する結露より多く加湿することができ、更に加熱加湿対象室内の空気がミスト装置を循環しながら絶対湿度０．０１１ｋｇ／ｋｇ´以上の空気を送り続ける累積することにより加熱加湿対象室内を絶対湿度０．０２９ｋｇ／ｋｇ´以上にすることが可能であり、このことにより加熱加湿対象室内が温度３５℃で湿度８０％以上になり、毛孔が開いた状態で皮膚により多くの水分を吸収するようにするものである。
【手続補正２６】
【補正対象書類名】明細書
【補正対象項目名】００５４
【補正方法】削除
【補正の内容】
【手続補正２７】
【補正対象書類名】明細書
【補正対象項目名】００５５
【補正方法】削除
【補正の内容】
【手続補正２８】
【補正対象書類名】明細書
【補正対象項目名】００５６
【補正方法】削除
【補正の内容】
【手続補正２９】
【補正対象書類名】明細書
【補正対象項目名】００５７
【補正方法】変更
【補正の内容】
【００５７】
本発明の請求項８記載の発明は、加熱手段を温水又は冷媒を流す熱交換器で構成したものであり、加湿部に流入する空気の温度を十分に昇温しながら空気の相対湿度を高め、加熱加湿対象室内を十分に加湿することができ皮膚により多くの水分を吸収し皮膚の保湿機構を妨げないようにするものである。
【手続補正３０】
【補正対象書類名】明細書
【補正対象項目名】００５８
【補正方法】変更
【補正の内容】
【００５８】
本発明の請求項９記載の発明は、加湿手段を加熱手段により加熱された空気に加湿水を噴霧手段により噴霧することで加湿するように構成したものであり、空気の相対湿度を高め、加熱加湿対象室内を十分に加湿することができ皮膚により多くの水分を吸収し皮膚の保湿機構を妨げないようにするものである。
【手続補正３１】
【補正対象書類名】明細書
【補正対象項目名】００５９
【補正方法】変更
【補正の内容】
【００５９】
本発明の請求項１０記載の発明は、加湿手段を加熱手段により加熱された空気に加湿水を噴霧手段により噴霧することで加湿するように構成したものであり、空気の相対湿度を高め、加熱加湿対象室内を十分に加湿することができ皮膚により多くの水分を吸収し皮膚の保湿機構を妨げないようにするものである。
【手続補正３２】
【補正対象書類名】明細書
【補正対象項目名】００６０
【補正方法】変更
【補正の内容】
【００６０】
本発明の請求項１１記載の発明は、加湿手段を加熱手段により加熱された空気に超音波素子により霧化した加湿水を供給することで加湿するように構成したものであり、空気の相対湿度を高め、加熱加湿対象室内を十分に加湿することができ皮膚により多くの水分を吸収し皮膚の保湿機構を妨げないようにするものである。
【手続補正３３】
【補正対象書類名】明細書
【補正対象項目名】００６１
【補正方法】変更
【補正の内容】
【００６１】
本発明の請求項１２記載の発明は、加湿手段を加熱手段により加熱された空気に加熱により気化した加湿水を供給することで加湿するように構成したものであり、空気の相対湿度を高め、加熱加湿対象室内を十分に加湿することができ皮膚により多くの水分を吸収し皮膚の保湿機構を妨げないようにするものである。
【手続補正３４】
【補正対象書類名】明細書
【補正対象項目名】００６２
【補正方法】変更
【補正の内容】
【００６２】
本発明の請求項１３記載の発明は、発汗センサーで温度をコントロールできるものであり、自動で発汗状態にあった温度をコントロールする事ができ皮膚により多くの水分を吸収し皮膚の保湿機構を妨げないようにするものである。
【手続補正３５】
【補正対象書類名】明細書
【補正対象項目名】００７０
【補正方法】変更
【補正の内容】
【００７０】
サウナ入浴では、入浴前にお湯をはるのと同様に、あらかじめ浴室内を一定の温度に上げてからサウナ入浴を行う。発汗センサー１４６による自動制御の場合、ある程度時間経過し、浴室内の温度が所定の値に達したら、例えば、サウナのうるおいモードでの初期の温度設定を約３５℃とすると、浴室内が３５℃になると入浴し、入浴後発汗センサー１４６で発汗をセンシングし、３５℃に入浴者の体が馴染んだ状態で、発汗センサー１４６が発汗を検知すると温度設定を１℃下げて発汗が抑えられるとその温度を維持し、発汗量が抑えられない場合は更に温度設定を１℃下げ、発汗が抑えられる温度まで温度を下げてその温度を維持し、発汗がなくなると温度設定を１℃上げて発汗を検知すればその温度より１℃下げその温度を維持し、発汗を検知できなければ、さらに温度を１℃上げて、以降繰り返し行い、発汗する温度を検知し、その発汗する温度より１℃低い温度で維持する。ここでは、その発汗する温度より１℃低い温度で維持するとしたが、発汗を抑えて毛孔が広がる温度であればよく、例えば、発汗する温度より、０．１℃〜２℃程度低ければ良い。発汗する直前の温度程度が良い。発汗温湿度は個人差があるが、浴室内は、例えば、発汗直前の温度である３５℃、相対湿度８０％に保たれる。
【手続補正３６】
【補正対象書類名】明細書
【補正対象項目名】００７４
【補正方法】変更
【補正の内容】
【００７４】
図３は、この浴室サウナ装置内でうるおいモード中で洗浄効果試験によるマイクロスコープによる肌の計測であり、図３（ａ）は洗顔前の皮膚を示す図であり、図３（ｂ）は入浴浴室で洗顔後の皮膚を示す図であり、図３（ｃ）はうるおいモードで洗顔した洗顔後の皮膚を示す図である。図３（ａ）の洗顔前の状態と比べると、図３（ｂ）の入浴浴室での洗顔後の状態では毛穴周辺やキメの皮溝にファンデーションのパールやラメなどの粉体が残り、すなわち洗顔前の化粧成分が残っており、皮膚表面は乾燥した感じでキメのふっくら感もなく、図３（ｃ）のうるおいモードで洗顔した洗顔後の状態では肌を柔らかくし、毛穴が開き化粧成分の汚れが落ちており、また、お肌のキメは水分を含みふっくらし、細かなキメが見える。このようにうるおいモードでは、毛孔が開き汚れが落ちた上で肌が水分を吸収している状態が観測された。
【手続補正３７】
【補正対象書類名】明細書
【補正対象項目名】００７５
【補正方法】変更
【補正の内容】
【００７５】
図４は、化粧水塗布による保湿効果試験であり肌水分量を測定している。うるおいモード中に化粧水を塗布した場合とうるおいモード入浴後に化粧水を塗布した場合を比較したグラフであるが、うるおいモード中に化粧水を塗布した場合、浴室の温湿度環境が肌を柔らかくし毛孔を開き、ミストの微粒子が浸透しやすくなり、しかもミストは濡れにくく、発汗しにくいため化粧水を塗布しても流れることなく効果的であり、入浴中に化粧水を塗布すると入浴後の塗布と比較して肌の水分量は入浴４５分後で１．４倍（有意差検定で有意差あり）水分量が多い状態が計測された。
【手続補正３８】
【補正対象書類名】明細書
【補正対象項目名】００７８
【補正方法】変更
【補正の内容】
【００７８】
図７は浴室内状況を示す図であり、図７（ａ）は読書を示す図であり、図７（ｂ）はテレビ鑑賞を示す図であり、図７（ａ）の読書と図７（ｂ）のテレビ鑑賞の浴室内状況を示したものであるが、濡れにくく見えないミストによりよく室内で読書やテレビ鑑賞ができ、その時間を利用して水分の吸収を高め、化粧水を塗布して肌の保湿効果を高めるミスト中の肌のケアをことができる。